(57)【要約】      （修正有）【課題】メンテナンス性に優れた軽量鉄骨フレーム照明具を提供する。【解決手段】本体１０上に少なくとも１個のランプソケット１３を設置し、各ランプソケット１３上に、安定器を内蔵するランプ２０をそれぞれ設置し、本体１０上にはさらに集光板１２を設置し、軽量鉄骨フレーム照明具の照度を高め、本ランプ２０はすべて安定器を内蔵し、本体１０のランプソケット１３と直接電気的に接続して使用する。【選択図】図１
0003167550.tif 000002
【実用新案登録請求の範囲】
【請求項１】
照明具の構造は、本体と、少なくとも１個のランプとを備え、
前記本体は、台体及び少なくとも１個のランプソケットを備え、
前記各ランプソケットは、前記台体上に設置し、
前記少なくとも１個のランプは、安定器を内蔵するとともに、コネクターを備え、
前記コネクターは、前記ランプソケット中に設置し、前記ランプソケットと電気的連接を形成することを特徴とする軽量鉄骨フレーム照明具の構造。
【請求項２】
前記台体上にはパネルを設置し、前記パネル上には各ランプソケットを装置することを特徴とする請求項１に記載の軽量鉄骨フレーム照明具の構造。
【請求項３】
前記台体上には、収容設置空間を設置し、しかも前記収容設置空間は、内側頂点部を備え、
前記各ランプソケットは、前記内側頂点部に設置することを特徴とする請求項１に記載の軽量鉄骨フレーム照明具の構造。
【請求項４】
前記収容設置空間は、内側壁面を備え、前記各ランプソケットは、前記内側壁面に設置することを特徴とする請求項３に記載の軽量鉄骨フレーム照明具の構造。
【請求項５】
前記本体はさらに、少なくとも１個の集光板を備え、
前記各集光板は、前記台体上の、前記各ランプソケットを設置する側に設置することを特徴とする請求項１乃至請求項４の何れか１項に記載の軽量鉄骨フレーム照明具の構造。
【請求項６】
前記各集光板は、湾曲して弧状を呈する方式で、前記本体上に配列して設置することを特徴とする請求項５に記載の軽量鉄骨フレーム照明具の構造。
【請求項７】
前記照明具の構造はさらに、格子状柵を備え、前記格子状柵は、取外し可能な方式で、前記台体上に設置することを特徴とする請求項１乃至請求項６の何れか１項に記載の軽量鉄骨フレーム照明具の構造。
【請求項８】
前記格子状柵は、環状枠及び複数の隔絶片を備え、
前記環状枠の形状は、前記台体と相互に対応し、
前記隔絶片は、交差して縦横に配列し、前記環状枠の間に間隔を開けて設置することを特徴とする請求項７に記載の軽量鉄骨フレーム照明具の構造。
【請求項９】
前記ランプは、発光ダイオードにより構成することを特徴とする請求項１乃至請求項８の何れか１項に記載の軽量鉄骨フレーム照明具の構造。
【考案の詳細な説明】
【技術分野】
【０００１】
本考案は軽量鉄骨フレーム（或いはその他材質によって製作されたＴ−Ｂａｒ）照明具の構造に関し、特に安定器を内蔵するランプを使用してメンテナンスの利便性をよくした照明具の構造に関する。
【背景技術】
【０００２】
既存の軽量鉄骨フレームに応用する照明具は、主に、天井板上に固定して設置する本体を備える。
本体上には、間隔をあけて並設する複数の灯管及び格子状柵を設置し、格子状柵により、灯管の落下を防止する。
この他、本体上の各灯管に対応する位置にはさらに、灯管と相互に接続する安定器を内蔵する必要がある。
安定器は、灯管内に流入する電流を制御し、電流の過大による灯管の破損を回避することができる。
【０００３】
しかし、灯管が故障して発光しなくなっても、その原因が灯管の問題なのか、安定器の問題なのかを判断することは難しい。
そのため、一般的に使用者は灯管と安定器をそれぞれ準備してテストを行う必要がある。
こうしたことを経て初めて灯管が発光しない問題を解決できるため、メンテナンスにおいて、極めて不便である。
本考案は、従来の照明具の上記した欠点に鑑みてなされたものである。
【考案の概要】
【考案が解決しようとする課題】
【０００４】
本考案が解決しようとする課題は、軽量鉄骨フレーム（或いはその他材質によって製作されたＴ−Ｂａｒ）照明具の構造に改良を加え、この設計により、現行技術による照明具において、灯管と安定器を分けて設置するため、メンテナンスの不便を引き起こしているという欠点を解決することができる照明具の構造を提供することである。  
【課題を解決するための手段】
【０００５】
上記課題を解決するため、本考案は下記の軽量鉄骨フレーム照明具の構造を提供する。
本考案の軽量鉄骨フレーム照明具の構造は、本体、複数のランプを備え、
該本体は、台体及び複数のランプソケットを備え、
該台体上には、相互に間隔を開けて配列するランプソケットを設置し、
該各ランプには、安定器を内蔵し、しかもコネクターを備え、
該コネクターと該本体のランプソケットとは、相互に接合し、該ランプソケット中に設置し、電気的連接を形成し、
該本体のランプソケットはさらに、該台体上に予め設置する収容設置空間中の内側頂点部上に設置し、これにより該ランプは下向きに照明を発し、
該本体のランプソケットはさらに、該台体の片側壁面上に設置することもでき、これにより該ランプは、横向きの間接照明を形成し、
該本体はさらに、少なくとも１個の集光板を備え、
該集光板は、それぞれ湾曲して弧状を形成し、該台体上に設置し、該ランプソケットは、該集光板を貫通して、該台体上に固定して設置し、
軽量鉄骨フレーム照明具はさらに、格子状柵を備え、
該格子状柵は、該本体の台体上に設置し、さらに取外し可能な方式で該台体上に設置する。
【考案の効果】
【０００６】
本考案では、本体上に安定器を設置しないため、内蔵する安定器がどのタイプであろうと、或いはランプのコネクターの型式がどうであろうと、本体のランプソケットと直接電気的連接を形成して使用することができる。
そのため、任意のランプが故障して発光しない時には、安定器を内蔵する正常なランプに交換するだけでよく、別にテストを行う必要がないため、メンテナンスが非常に簡単で、かつ便利である。
【図面の簡単な説明】
【０００７】
【図１】本考案の第一実施例に係る軽量鉄骨フレーム照明具の立体分解図である。
【図２】本考案の第一実施例に係る軽量鉄骨フレーム照明具の組合せ立体図である。
【図３】本考案の第一実施例に係る軽量鉄骨フレーム照明具の断面側視図である。
【図４】本考案の第二実施例に係る軽量鉄骨フレーム照明具の断面側視図である。
【考案を実施するための形態】
【０００８】
以下に図面を参照しながら本考案を実施するための最良の形態について詳細に説明する。
【実施例】
【０００９】
図１〜３に示すように、本考案に係る軽量鉄骨フレーム照明具は、本体１０と、ランプ２０とを備える。
本体１０は、台体１１と、少なくとも１個のランプソケット１３とを備える。
ランプソケット１３の中には、同数のランプ２０を設置する。
各ランプソケット１３は、電気的連接を形成する。
【００１０】
台体１１は、軽量鉄骨フレーム或いは天井板上に装置し、照射方向に向かい形成するパネルを備える。
パネルは内へと陥没して、収容設置空間１１１を形成し、収容設置空間１１１中には、内側頂点面及び内側壁面を形成する。
本体１０はさらに、少なくとも１個の集光板１２を備える。
集光板１２は、台体１１のパネル上或いは収容設置空間１１１中に設置する。
ランプソケット１３は間隔を開けて配列して設置し、しかも集光板１２を貫通して、台体１１に設置する。
集光板１２は、湾曲して弧状を呈する形式で、パネル或いは収容設置空間１１１中に設置する。
【００１１】
ランプ２０は、蛍光灯、金属ハロゲンライト、ナトリウム灯等の各種気体放電型ランプ、或いは発光ダイオード（Ｌｉｇｈｔ  Ｅｍｉｔｔｉｎｇ  Ｄｉｏｄｅ，ＬＥＤ）ランプである。
各ランプ２０は、安定器（図示なし）を内蔵し、しかもランプ２０は、コネクター２１を備える。
コネクター２１は、本体１０のランプソケット１３に接合でき、それと電気的連接を形成する。
本体１０に設置する複数の集光板１２は、ランプ２０が発する光線を集中させ、単位面積当たりの照度を高めることができる。
【００１２】
格子状柵３０は、台体１１のパネル上、或いは収容設置空間１１１中に設置する。
格子状柵３０は、環状枠３１及び複数の隔絶片３２を備える。
環状枠３１の形状は、台体１１の内側壁面と相互に対応し、しかも取外し式の方式で、台体１１に設置する。
複数の隔絶片３２は、交差して縦横に配列し、環状枠３１の間に間隔を開けて設置する。
【００１３】
本実施例では、本体１０のランプソケット１３は、台体１１の内側頂点部に設置する。
こうして、ランプソケット１３に設置するランプ２０は、下方へと発光し、照度が高い直接照明を提供することができる。
【００１４】
図４は本考案の第二実施例の模式図である。
本体１０Ａのランプソケット１３Ａは、台体１１Ａの内側壁面上に設置する。
これにより、ランプ２０Ａは、側面に向かい発光し、光線相対的に柔和な間接照明型態を提供する。
【００１５】
上記したように、本体１０或いは１０Ａ上には安定器を設置せず、安定器を内蔵するランプ２０、２０Ａの設計を使用することで、ランプ２０、２０Ａの種類が何であろうと、しかもランプ２０、２０Ａのコネクターの形式が、どの種の型式（挿入設置式、螺旋回し式等）であろうと、ランプ２０、２０Ａは、ランプソケット１３、１３Ａと直接電気的に連接され、使用することができる。
任意のランプが故障し、発光しない状況が発生しても、従来の照明具のように、ランプの損壊か、安定器の損壊かを判断するテストステップを行うために、繰り返し取り外す必要がなく、正常で、しかも安定器を内蔵するランプに交換するだけでよい。
さらに、交換用に、ランプ及び安定器の予備をそれぞれ用意する必要がない。
こうして、メンテナンスが簡単かつ便利で、消耗材の使用を減らせる効果を達成することができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１７】
１０          本体
１０Ａ        本体
１１          台体
１１Ａ        台体
１２          集光板
１３          ランプソケット
１３Ａ        ランプソケット
２０          ランプ
２０Ａ        ランプ
２１          コネクター
３０          格子状柵
３１          環状枠
３２          隔絶片
１１１        収容設置空間
【図１】
0003167550.tif 000003
【図２】
0003167550.tif 000004
【図３】
0003167550.tif 000005
【図４】
0003167550.tif 000006